(57)【要約】【課題】マンホールの路面側開口部に設置することにより、送風ダクトを用いることなくマンホール内に外気を供給することができ、しかもマンホール内での作業中においても蓋上を車両や歩行者が通行することを規制する必要のないマンホール用仮設蓋を提供する。【解決手段】マンホールの開口部に配置される仮設蓋１であって、仮設蓋によって開口部を閉止した際に該開口部内外を連通させる格子状の通気領域２と、通気領域の内側に配置された電動ファン２０と、電動ファンから延びる電源ケーブル２１を挿通するケーブル挿通穴４と、を備えた。【選択図】図１
2015042816.tif 000002
【特許請求の範囲】
【請求項１】
マンホールの開口部に配置される仮設蓋であって、
前記仮設蓋によって前記開口部を閉止した際に該開口部内外を連通させる格子状の通気領域と、該通気領域の内側に配置された電動ファンと、を備えたことを特徴とするマンホール用仮設蓋。
【請求項２】
前記開口部の内周縁により外周縁を係止される環状の外蓋と、該外蓋に設けた装着穴に着脱自在に装着される内蓋と、を備え、
前記内蓋に、前記通気領域を形成したことを特徴とする請求項１に記載のマンホール用仮設蓋。
【請求項３】
前記電動ファンは、ファンモータと、該ファンモータにより回転駆動される回転ファンと、該回転ファンの外周を覆うファンカバーと、を備え、前記内蓋の内側に対して着脱自在であることを特徴とする請求項１、又は２に記載のマンホール用仮設蓋。
【請求項４】
前記外蓋に設けた通気開口の内側に脱臭剤を配置したことを特徴とする請求項１乃至３の何れか一項に記載のマンホール用仮設蓋。
【発明の詳細な説明】
【技術分野】
【０００１】
本発明は、地下管路、下水道等の点検、工事等に際して、通常のマンホール蓋に代えて一時的にマンホールに設置される仮設蓋の改良に関する。
【背景技術】
【０００２】
マンホールは、地下管路に配設された電気・通信ケーブル、下水道等の管理を行うために作業員が地上から地下道内に出入りできるように、路面等の地表面に開口形成された穴であり、マンホールの開口部には鉄製の蓋が配置される。
電力会社が地中送電線の定期点検、臨時点検や、事故点探査や工事を行う場合には、蓋を開放したマンホール内に作業員が入った上で所要の作業を実施することになる。
ところで、車道や歩道に設けられているマンホール内に出入りして上記の各種作業を実施する場合には、本来の蓋に代えて仮設用の蓋により開口部を閉止した上での作業が実施される。仮設用の蓋には、採光用、及び通気用の格子状の穴や、外部からの送風ダクトを差し込むための穴を設けることにより、作業の効率化、安全化を図っている（特許文献１、特許文献２）。
しかし、何れの仮設蓋を用いた場合においても、送風用のポンプ、及び送風ダクトを車道や歩道の路面に配設した上で送風ダクトをマンホール内に導入する必要があるため、ポンプの設置場所、送風ダクトの配管経路を含めて、マンホールを中心とした広い範囲を通行止めにする必要が生じる。特に、作業対象となるマンホールが片側二車線の車道の２つの車両通行帯境界線上に跨って配置されている場合には、二車線全部を通行止めにしたり、マンホールを回避した迂回車線を多大の費用と労力をかけて臨時に確保する等の必要がある。
【０００３】
次に、特許文献３には、開口部を開閉する蓋部材と、この蓋部材により閉塞された状態において、蓋部材の内側に位置するように開口部に配設される脱臭剤を含むフィルター部材と、このフィルター部材のさらに内側に配設される排気ファンと、を備えた下水施設の開口部の蓋構造が開示されている。マンホールから生じた臭気を、フィルター部材を通過させた後、蓋部材の貫通孔を通じて漏出させることにより、悪臭が外部に漏れ出すことを防止している。
しかし、この蓋構造は、仮設用の蓋に関するものではなく、また排気ファンはマンホール内の空気を外部に排出するものである点で、マンホール内部に外気を供給するものとは異なる。
【０００４】
次に、特許文献４には、マンホールの開口部を閉鎖自在な板材から成る蓋本体において、蓋本体の一部を切り離し、この切り離した分離板を蝶番により蓋本体に対して開閉自在に連結した工事用マンホール蓋が開示されている。蓋本体、分離板をメッシュ状に構成し、分離板を開放した開口部から送風ダクトをマンホール内に差し込むようにしている。
しかし、マンホール内を換気するためには周辺の路面に送風ダクトを配設する必要があり、工事区画（車両通行止め面積）が拡大するという欠点を有している。
【先行技術文献】
【特許文献】
【０００５】
【特許文献１】特開２００３−１０５７８９公報
【特許文献２】特開２００８−２０２３５９公報
【特許文献３】特開平８−２４６４８４号公報
【特許文献４】特開平５−２８００６６号公報
【発明の概要】
【発明が解決しようとする課題】
【０００６】
従来の仮設用のマンホール蓋は、マンホール内部を換気するための送風ダクトを路面から蓋に設けた穴を経由してマンホール内に配設する必要があるため、路面上の送風ダクト配設経路を含む広い範囲を交通止め区画とする必要があり、道路や歩道が広い範囲に渡って交通止めになるという問題があった。
本発明は上記に鑑みてなされたものであり、マンホールの路面側開口部に設置することにより、送風ダクトを用いることなくマンホール内に外気を供給することができ、しかもマンホール内での作業中においても蓋上を車両や歩行者が通行することを規制する必要のないマンホール用仮設蓋を提供することを目的としている。
【課題を解決するための手段】
【０００７】
上記目的を達成するため、請求項１の発明は、マンホールの開口部に配置される仮設蓋であって、前記仮設蓋によって前記開口部を閉止した際に該開口部内外を連通させる格子状の通気領域と、該通気領域の内側に配置された電動ファンと、を備えたことを特徴とする。
請求項２の発明は、前記開口部の内周縁により外周縁を係止される環状の外蓋と、該外蓋に設けた装着穴に着脱自在に装着される内蓋と、を備え、前記内蓋に、前記通気領域を形成したことを特徴とする。
【０００８】
請求項３の発明は、前記電動ファンは、ファンモータと、該ファンモータにより回転駆動される回転ファンと、該回転ファンの外周を覆うファンカバーと、を備え、前記内蓋の内側に対して着脱自在であることを特徴とする。
請求項４の発明は、前記外蓋に設けた通気開口の内側に脱臭剤を配置したことを特徴とする。
【発明の効果】
【０００９】
本発明によれば、マンホール内での工事を実施している期間中に、本来の蓋に代えてマンホールの路面側開口部に設置することにより、送風ダクトを用いることなくマンホール内に外気を供給することができ、しかもマンホール内での作業中においても蓋上を車両や歩行者が通行することを規制する必要がなくなる。
【図面の簡単な説明】
【００１０】
【図１】（ａ）及び（ｂ）は本発明の一実施形態に係るマンホール用仮設蓋の設置状態を示す平面図、及び縦断面図である。
【図２】マンホール用仮設蓋の底面側斜視図である。
【発明を実施するための形態】
【００１１】
以下、本発明を図面に示した実施の形態により詳細に説明する。
図１（ａ）及び（ｂ）は本発明の一実施形態に係るマンホール用仮設蓋の設置状態を示す平面図、及びＡ−Ａ断面図であり、図２はこのマンホール用仮設蓋の底面側斜視図である。
このマンホール用仮設蓋（以下、仮設蓋と称する）１は、マンホール５０の開口部５１に配置される金属製の仮設蓋であり、マンホール内の地下管路、下水道に作業員が入って工事等の作業を実施している場合に地下管路等への空気の導入（換気）、採光を目的として、本来のマンホール蓋に代えて一時的に設置されるものである。
【００１２】
この仮設蓋１は、マンホール５０の開口部５１を閉止した際に開口部内外を連通させる格子状の通気領域２と、通気領域２の内側面に配置された電動ファン２０と、電動ファン２０から延びる電源ケーブル２１を挿通するケーブル挿通穴４と、を備えている。
即ち、仮設蓋１は、マンホール開口部５１の内周縁に沿って固定された環状のマンホール枠体５５の内周縁に設けた支持部５６により外周縁６を支持される環状の外蓋５と、外蓋５の中心部に位置する開口である装着穴５ａの内周縁に設けた支持部７により外周縁を支持された内蓋１０と、内蓋１０に設けられた通気領域２と、通気領域２の内側面に配置された電動ファン２０と、電動ファン２０から延びる電源ケーブル２１を挿通するケーブル挿通穴４と、を備えている。
つまり、仮設蓋１は、蓋部分（外蓋５、内蓋１０）と、電動ファン２０とから概略構成されている。
【００１３】
外蓋５は、マンホール枠体５５の支持部５６に対してボルト５７により着脱自在に固定され、内蓋１０は外枠の支持部７に対してボルト８によって着脱自在に固定される。
なお、内蓋１０を外蓋に設けたヒンジによって軸支し、上方へ向けて開閉自在に支持してもよい。
外蓋５は、図示のように格子状とすることにより、通気性、採光性を高めると共に、軽量化を図っている。外蓋は、鋼材等の金属、或いはＦＲＰ等により構成することにより、その上面を車両等が通過できるように十分な強度を確保する。外蓋５を格子状とすることは必須ではなく、採光部、通気部を有しない構成としてもよい。
【００１４】
格子状に構成された内蓋１０の内側面（下面）には電動ファン２０を固定し、通気領域２を経由して外気をマンホール内に導入できるように構成する。
電動ファン２０は、ファンモータ２２ａ、及びファンモータにより回転駆動される回転ファン２２ｂを有した電動ファン本体２２と、電動ファン外周を覆う筒状のファンカバー２３と、ファンカバーに電動ファン本体２２を固定する固定金具２５と、電源ケーブル２１と、を備える。
【００１５】
ファンカバー２３は、その上部開口周縁を内蓋１０を構成する格子状の金属部分に着脱自在に固定する。具体的には、例えばファンカバーの上部側面に形成した複数の穴２３ａに挿通した針金、インシュロック等の固定手段２４を格子状の金属部分に巻き付けて固定する。或いは、ファンカバーの上部開口の周縁に沿って所定のピッチで係止フック、カラビナ等の係止具を取り付けておき、この係止具によって格子状の金属部分に着脱可能に構成してもよい。
【００１６】
十字状の固定金具２５は、４本の腕部の先端をファンカバー２３の下部開口側の周縁にボルト固定される。電動ファン本体２２のファンモータ２２ａを固定金具の中心部に固定することにより、電動ファン本体をファンカバー内に保持することができる。
このように構成することにより、電動ファンを内蓋１０に対して固定したり、取り外すことが容易となる。或いは、内蓋と電動ファンを分離不能に固定してもよい。
固定金具２５はメッシュ状に構成することにより、地表側からの落下物がマンホール内に落下しないように構成してもよい。
ファンカバー２３の下部開口には送風管２６を連設し、送風管をマンホール内部に引き込むことができる。
【００１７】
マンホール内の湧水をマンホール外に排水する必要がある場合には、内蓋１０を外蓋の装着穴５ａから取外し、外蓋中心部の装着穴を利用して排水ホースを挿通する。
また、外蓋５と内蓋１０の内側に落下防止ネット３０を配置して地表からの落下物がマンホール内に侵入することを阻止するようにしてもよい。
内蓋１０の通気領域２を外気吸引部とした場合には、外蓋の格子状開口部（通気開口）はマンホール内の空気を外部に排出する排出部となる。このため、マンホール内の臭気が外部に排出されるおそれもある。この場合には、外蓋の内側に臭気を吸着する脱臭剤からなるフィルターを配置することにより対処することが可能となる。脱臭剤は、例えばカートリッジ式とし、外蓋の格子状開口部を塞ぐように外蓋の内側面に配置されて、外部へ排出される空気中の悪臭成分を除去する。
上記実施形態では、仮設蓋の蓋部分を外蓋と内蓋とから構成したが、外蓋と内蓋の区別のない一体物の蓋部分に電動ファンを取り付けても良い。即ち、蓋部分の任意の部分に設けた通気領域２の内側に電動ファンを設けたものも本発明の範囲に含まれるものである。
【００１８】
以上のように本発明では、仮設蓋１の蓋部分を環状の外蓋５と、外蓋の中心部の装着穴に設置される内蓋１０とから構成し、内蓋１０に設けた通気領域の裏側に電動ファンを配置した。従来のように地表に設置した送風装置（ポンプ、電動ファン等）からの送風を地表に沿って配置した送風ダクトを介してマンホール内に導入する形式を採らないことから、マンホール周辺の地表を通行止めにする必要がなくなる。
【００１９】
蓋部分を外蓋と内蓋から構成せず、一つの蓋体から一体的に構成し、この蓋体に設けた通気領域の内面に電動ファンを取り付けた構成としてもよい。
発電機と接続するために地表に配線されることになるが、車両等の重量物が通過しても十分に電源ケーブルを保護することができるケーブル防護材を使用すれば、電源ケーブルの配線経路を通行止めにする必要がなくなる。このため、路面に配置されたマンホールの開口部に本発明の仮設蓋を配置することにより、マンホール開口部を含む路面を通行止めにする必要がなくなる。
【００２０】
＜本発明の構成、作用、効果のまとめ＞
第１の本発明に係るマンホール用仮設蓋は、マンホール５０の開口部５１に配置される仮設蓋であって、仮設蓋１によって開口部を閉止した際に該開口部内外を連通させる格子状の通気領域２と、通気領域の内側に配置された電動ファン２０と、電動ファンから延びる電源ケーブル２１を挿通するケーブル挿通穴４と、を備えたことを特徴とする。
マンホール用仮設蓋１を、マンホールの開口部に設置することにより、送風ダクトを用いることなくマンホール内に外気を供給することができ、しかもマンホール内での作業中においても蓋上を車両や歩行者が通行することを規制する必要がなくなる。このため、マンホール及びその周辺を工事による通行禁止とする必要がなくなり、車両や人間等の通行が妨げられることがなくなる。
電動ファンによりマンホール内の空気を外部へ排出するように構成することもできる。
【００２１】
仮設蓋の適所に通気領域、通気用の開口を設けることにより、採光性を確保することもできる。
仮設蓋１の蓋部分を複数の構成要素（外蓋、内蓋）から構成せずに、全体的に一体物としてもよい。
第２の本発明に係るマンホール用仮設蓋は、開口部の内周縁により外周縁を係止される環状の外蓋５と、該外蓋に設けた装着穴５ａに着脱自在に装着される内蓋１０と、を備え、内蓋に通気領域２を形成したことを特徴とする。
仮設蓋１は、外蓋５と、外蓋に設けた装着穴内に着脱自在に装着される内蓋１０を備え、内蓋に設けた通気領域２の内側面に電動ファンを取り付けた構成を備えている。
このため、電動ファンは常に仮設蓋の下面に側に位置しており、電動ファンが地表に突出することがなく、仮設蓋の上面を車両等が通過することが可能となる。マンホール内の湧水等を地表に排出する場合には、内蓋を取り外して外蓋の装着穴５ａから排水管を差し込むことができる。
内蓋１０は、外蓋の装着穴内に設けたヒンジ部によって閉止位置と開放位置との間で開閉するように構成してもよい。
【００２２】
第３の本発明に係るマンホール用仮設蓋は、電動ファン２０は、ファンモータ２２ａと、ファンモータにより回転駆動される回転ファン２２ｂと、回転ファンの外周を覆うファンカバー２３と、を備え、内蓋の内側に対して着脱自在であることを特徴とする。
内蓋には、必要最小限の構成要素から成る小型、軽量の電動ファン２０を取り付けるに過ぎないので、内蓋の面積を大きくしたり、仮設蓋全体の強度を極端に高める必要がない。
交通規制を行ったり、送風ダクトを地表に沿って配設することに支障がない場合には、内蓋及び電動ファンを除去した状態で外蓋の装着穴を利用して地表からの送風ダクトをマンホール内に挿通することができる。
【００２３】
第４の本発明に係るマンホール用仮設蓋は、外蓋５に設けた通気開口の内側に脱臭剤を配置したことを特徴とする。
電動ファンによって外気をマンホール内に吸引すると、外蓋に設けた格子状の通気開口からはマンホール内の臭気を含んだ空気が排出されるが、この空気に含まれる臭気は脱臭剤により吸着、除去することができる。
【符号の説明】
【００２４】
１…マンホール用仮設蓋、２…通気領域、４…ケーブル挿通穴、５…外蓋、５ａ…装着穴、６…外周縁、７…支持部、８…ボルト、１０…内蓋、２０…電動ファン、２１…電源ケーブル、２２…電動ファン本体、２２ａ…ファンモータ、２２ｂ…回転ファン、２３…ファンカバー、２３…ファンカバー、２３ａ…穴、２４…固定手段、２５…固定金具、２６…送風管、３０…落下防止ネット、５０…マンホール、５１…マンホール開口部、５５…マンホール枠体、５６…支持部、５７…ボルト
【図１】
2015042816.tif 000003
【図２】
2015042816.tif 000004